(57)【要約】【課題】送信フォーカスを移動したにフレームレートが落ちることがあるのを防止する。【解決手段】制御部６の基準送信回数記憶部６ｄは、全ＦＯＶでの送信回数の合計の基準となる基準送信回数を記憶する。送信フォーカス間引き部６ｅは、各送信フォーカスに対応するデータ収集領域では該送信フォーカスに対応する送信回数領域に設定された送信回数の送信を行うものとして全ＦＯＶでの送信回数の合計を計算し、それが基準送信回数を越える場合は、全ＦＯＶでの送信回数の合計が基準送信回数に合致するように、１以上の送信フォーカスを間引いて実際の送信を行わせる。【効果】フレームレートが落ちないため、良好な視認性が得られ、診断に好適となる。【選択図】  図１
2004148018.tif 000002
【特許請求の範囲】
【請求項１】
送信フォーカスを２以上の異なる深さに設定し、ＦＯＶを異なる深さの２以上の送信回数領域に分けると共に各送信回数領域毎に送信回数を設定し、ある送信フォーカスとそれに隣接する送信フォーカスの中間位置でデータ収集領域を分け、全ＦＯＶでの送信回数の合計の基準となる基準送信回数を設定し、各送信フォーカスに対応するデータ収集領域では該送信フォーカスに対応する送信回数領域に設定された送信回数の送信を行うものとして全ＦＯＶでの送信回数の合計を計算しそれが基準送信回数を越える場合は全ＦＯＶでの送信回数の合計が基準送信回数に合致するように１以上の送信フォーカスを間引いて実際の送信を行うことを特徴とする超音波送信方法。
【請求項２】
請求項１に記載の超音波送信方法において、基準として設定された各送信フォーカスに対応するデータ収集領域では該送信フォーカスに対応する送信回数領域に設定された送信回数の送信を行うものとして全ＦＯＶでの送信回数の合計を計算し、それを基準送信回数とすることを特徴とする超音波送信方法。
【請求項３】
請求項１または請求項２に記載の超音波送信方法において、一つの送信回数領域から異なる送信回数が設定された別の送信回数領域へ送信フォーカスを操作者が移動させうることを特徴とする超音波送信方法。
【請求項４】
請求項１から請求項３のいずれかに記載の超音波送信方法において、送信フォーカスに対応する送信回数領域の送信回数を操作者が設定変更しうることを特徴とする超音波送信方法。
【請求項５】
超音波探触子と、前記超音波探触子を駆動して超音波パルスを送信しエコーを受信する送受信手段と、送信フォーカスを２以上の異なる深さに設定するための送信フォーカス設定手段と、ＦＯＶを異なる深さの２以上の送信回数領域に分けると共に各送信回数領域毎に送信回数を設定するための送信回数領域設定手段と、ある送信フォーカスとそれに隣接する送信フォーカスの中間位置でデータ収集領域を分けるデータ収集領域分割手段と、全ＦＯＶでの送信回数の合計の基準となる基準送信回数を記憶する基準送信回数記憶手段と、各送信フォーカスに対応するデータ収集領域では該送信フォーカスに対応する送信回数領域に設定された送信回数の送信を行うものとして全ＦＯＶでの送信回数の合計を計算しそれが基準送信回数を越える場合は全ＦＯＶでの送信回数の合計が基準送信回数に合致するように１以上の送信フォーカスを間引いて実際の送信を行わせる送信フォーカス間引き手段とを具備したことを特徴とする超音波診断装置。
【請求項６】
請求項５に記載の超音波診断装置において、前記基準送信回数記憶手段は、基準として設定された各送信フォーカスに対応するデータ収集領域では該送信フォーカスに対応する送信回数領域に設定された送信回数の送信を行うものとして全ＦＯＶでの送信回数の合計を計算し、それを基準送信回数として記憶することを特徴とする超音波診断装置。
【請求項７】
請求項５または請求項６に記載の超音波診断装置において、一つの送信回数領域から異なる送信回数が設定された別の送信回数領域へ送信フォーカスを操作者が移動するための送信フォーカス移動手段を具備したことを特徴とする超音波診断装置。
【請求項８】
請求項５から請求項７のいずれかに記載の超音波診断装置において、送信フォーカスに対応する送信回数領域の送信回数を操作者が設定変更するための送信回数設定変更手段を具備したことを特徴とする超音波診断装置。
【発明の詳細な説明】
【０００１】
【発明の属する技術分野】
本発明は、超音波診断装置に関し、さらに詳しくは、送信フォーカスを移動した場合にフレームレートが落ちることがあるのを防止できるようにした超音波診断装置に関する。
【０００２】
【従来の技術】
従来、送信フォーカスを２以上の異なる深さに設定する多段フォーカスの技術が知られている（「新超音波医学１−医用超音波の基礎：日本超音波医学会編、医学書院、第４０頁」）。
送信フォーカスを２以上の異なる深さに設定した場合、ある送信フォーカスとそれに隣接する送信フォーカスの中間位置でデータ収集領域を分け（最も上のフォーカスより上は最も上のフォーカスのデータ収集領域となり、最も下のフォーカスより下は最も下のフォーカスのデータ収集領域となる）、ある送信フォーカスに対応するデータ収集領域では、当該送信フォーカスで超音波パルスの送信を行ってエコーを受信し、画像情報を得、これを各データ収集領域について繰り返し、得られた各データ収集領域の画像を合成して全ＦＯＶの画像を得る、という動作になる。
【０００３】
また、従来、１つの音線について超音波パルスの送信とエコーの受信を２回以上行い、得られたエコーを合成して１つの音線情報を得る位相反転型ハーモニックイメージング法（「新超音波医学１−医用超音波の基礎：日本超音波医学会編、医学書院、第１０２頁」）やコーデッド励起法等（特開２００１−２３８８８１号公報）が知られている。
【０００４】
【発明が解決しようとする課題】
例えば、ＦＯＶ（Ｆｉｅｌｄ  Ｏｆ  Ｖｉｅｗ）を異なる深さの２つの領域に分け、浅い方の領域では、超音波パルスの送信とエコーの受信を１回だけ行って音線情報を得ることを多数の音線について行い、それを基に当該浅い方の領域の画像を得、深い方の領域では、超音波パルスの送信とエコーの受信を２回行って音線情報を得ることを多数の音線について行い、それを基に当該深い方の領域の画像を得、浅い方の領域の画像と深い方の領域の画像とを合成して全ＦＯＶの画像を得る、といったことが考えられる。このように、送信回数の違いで分けた領域を送信回数領域と呼ぶ。
【０００５】
さて、送信フォーカスを２以上の異なる深さに設定すると共に、ＦＯＶを２以上の送信回数領域に分けることが考えられる。
この場合、ある送信フォーカスに対応するデータ収集領域では、当該送信フォーカスに対応する送信回数領域に設定された送信回数で超音波パルスの送信を行って音線情報を得、当該送信フォーカスに対応するデータ収集領域の画像を得、これを各データ収集領域について繰り返し、得られた各データ収集領域の画像を合成して全ＦＯＶの画像を得る、という動作になると考えられる。
【０００６】
しかし、上記動作では、一つの送信回数領域から異なる送信回数が設定された別の送信回数領域へ送信フォーカスを移動した場合や送信フォーカスに対応する送信回数領域の送信回数が設定変更された場合、１つの画像を生成するのに要する合計送信回数が変化し、フレームレートが落ちてしまうことがある問題点がある。
【０００７】
そこで、本発明の目的は、一つの送信回数領域から異なる送信回数が設定された別の送信回数領域へ送信フォーカスを移動した場合や送信フォーカスに対応する送信回数領域の送信回数が設定変更された場合にフレームレートが落ちることがあるのを防止できるようにした超音波診断装置を提供することにある。
【０００８】
【課題を解決するための手段】
第１の観点では、本発明は、送信フォーカスを２以上の異なる深さに設定し、ＦＯＶを異なる深さの２以上の送信回数領域に分けると共に各送信回数領域毎に送信回数を設定し、ある送信フォーカスとそれに隣接する送信フォーカスの中間位置でデータ収集領域を分け、全ＦＯＶでの送信回数の合計の基準となる基準送信回数を設定し、各送信フォーカスに対応するデータ収集領域では該送信フォーカスに対応する送信回数領域に設定された送信回数の送信を行うものとして全ＦＯＶでの送信回数の合計を計算しそれが基準送信回数を越える場合は全ＦＯＶでの送信回数の合計が基準送信回数に合致するように１以上の送信フォーカスを間引いて実際の送信を行うことを特徴とする超音波送信方法を提供する。
【０００９】
例えば第１送信フォーカスが深さ２ｃｍに設定され、第２送信フォーカスが深さ４ｃｍに設定され、深さ５ｃｍより浅い第１送信回数領域と深さ５ｃｍより深い第２送信回数領域とにＦＯＶが分けられ、第１送信回数領域には送信回数１回が設定され、第２送信領域には送信回数２回が設定されたとすると、深さ３ｃｍより浅い第１データ収集領域と深さ３ｃｍより深い第２データ収集領域とにデータ収集領域が設定され、第１データ収集領域では送信が１回行われ、第２データ収集領域でも送信が１回行われ、送信回数の合計は２回となる。次に、第２送信フォーカスを深さ６ｃｍに移動すると、深さ４ｃｍより浅い第１データ収集領域と深さ４ｃｍより深い第２データ収集領域とにデータ収集領域が設定され、第１データ収集領域では送信が１回行われ、第２データ収集領域では送信が２回行われ、送信回数の合計は３回となる。このため、フレームレートが落ちてしまう。
【００１０】
そこで、上記第１の観点による超音波送信方法では、基準送信回数を２回としておいて、第２送信フォーカスを深さ６ｃｍに移動すると、第１送信フォーカスを間引いてしまう。これにより、第２送信フォーカスのみとなるから、ＦＯＶ全体が一つのデータ収集領域となり、送信回数の合計が２回となるため、第２送信フォーカスを深さ４ｃｍに設定していたときと同じフレームレートに維持されることになる。
【００１１】
第２の観点では、本発明は、上記構成の超音波送信方法において、基準として設定された各送信フォーカスに対応するデータ収集領域では該送信フォーカスに対応する送信回数領域に設定された送信回数の送信を行うものとして全ＦＯＶでの送信回数の合計を計算し、それを基準送信回数とすることを特徴とする超音波送信方法を提供する。
上記第２の観点による超音波送信方法では、基準として設定された送信フォーカスと送信回数領域とから基準送信回数を算出する。例えば、最初に設定された送信フォーカスと送信回数領域とを基準とみなしてもよい。
【００１２】
第３の観点では、本発明は、上記構成の超音波送信方法において、一つの送信回数領域から異なる送信回数が設定された別の送信回数領域へ送信フォーカスを操作者が移動させうることを特徴とする超音波送信方法を提供する。
上記第３の観点による超音波送信方法では、送信フォーカスを操作者が移動させても、フレームレートを一定に維持しうる。
【００１３】
第４の観点では、本発明は、上記構成の超音波送信方法において、送信フォーカスに対応する送信回数領域の送信回数を操作者が設定変更しうることを特徴とする超音波送信方法を提供する。
上記第４の観点による超音波送信方法では、送信回数領域の送信回数を操作者が設定変更しても、フレームレートを一定に維持しうる。
【００１４】
第５の観点では、本発明は、超音波探触子と、前記超音波探触子を駆動して超音波パルスを送信しエコーを受信する送受信手段と、送信フォーカスを２以上の異なる深さに設定するための送信フォーカス設定手段と、ＦＯＶを異なる深さの２以上の送信回数領域に分けると共に各送信回数領域毎に送信回数を設定するための送信回数領域設定手段と、ある送信フォーカスとそれに隣接する送信フォーカスの中間位置でデータ収集領域を分けるデータ収集領域分割手段と、全ＦＯＶでの送信回数の合計の基準となる基準送信回数を記憶する基準送信回数記憶手段と、各送信フォーカスに対応するデータ収集領域では該送信フォーカスに対応する送信回数領域に設定された送信回数の送信を行うものとして全ＦＯＶでの送信回数の合計を計算しそれが基準送信回数を越える場合は全ＦＯＶでの送信回数の合計が基準送信回数に合致するように１以上の送信フォーカスを間引いて実際の送信を行わせる送信フォーカス間引き手段とを具備したことを特徴とする超音波診断装置を提供する。
上記第５の観点による超音波診断装置では、前記第１の観点による超音波送信方法を好適に実施しうる。
【００１５】
第６の観点では、本発明は、上記構成の超音波診断装置において、前記基準送信回数記憶手段は、基準として設定された各送信フォーカスに対応するデータ収集領域では該送信フォーカスに対応する送信回数領域に設定された送信回数の送信を行うものとして全ＦＯＶでの送信回数の合計を計算し、それを基準送信回数として記憶することを特徴とする超音波診断装置を提供する。
上記第６の観点による超音波診断装置では、前記第２の観点による超音波送信方法を好適に実施しうる。
【００１６】
第７の観点では、本発明は、上記構成の超音波診断装置において、一つの送信回数領域から異なる送信回数が設定された別の送信回数領域へ送信フォーカスを操作者が移動するための送信フォーカス移動手段を具備したことを特徴とする超音波診断装置を提供する。
上記第７の観点による超音波診断装置では、前記第３の観点による超音波送信方法を好適に実施しうる。
【００１７】
第８の観点では、本発明は、上記構成の超音波診断装置において、送信フォーカスに対応する送信回数領域の送信回数を操作者が設定変更するための送信回数設定変更手段を具備したことを特徴とする超音波診断装置を提供する。
上記第８の観点による超音波診断装置では、前記第４の観点による超音波送信方法を好適に実施しうる。
【００１８】
【発明の実施の形態】
以下、図に示す実施形態により本発明をさらに詳細に説明する。なお、これにより本発明が限定されるものではない。
【００１９】
図１は、本発明の一実施形態にかかる超音波診断装置を示す構成図である。
この超音波診断装置１００は、超音波探触子１と、超音波探触子１を駆動して超音波パルスを被検体内へ送信すると共に被検体内からエコーを受信して受信データを出力する送受信部２と、受信データから超音波画像を生成する信号処理部３と、画像を表示する画像表示部４と、操作者からの指示を受け付ける操作部５と、送受信部３および信号処理部５を制御する制御部６とを具備して構成されている。
【００２０】
制御部６は、操作者の指示に基づいて送信フォーカスを２以上の異なる深さに設定する送信フォーカス設定部６ａと、操作者の指示に基づいてＦＯＶを異なる深さの２以上の送信回数領域に分けると共に各送信回数領域毎に送信回数を設定する送信回数領域設定部６ｂと、ある送信フォーカスとそれに隣接する送信フォーカスの中間位置でデータ収集領域を分けるデータ収集領域分割部６ｃと、全ＦＯＶでの送信回数の合計の基準となる基準送信回数を記憶する基準送信回数記憶部６ｄと、各送信フォーカスに対応するデータ収集領域では該送信フォーカスに対応する送信回数領域に設定された送信回数の送信を行うものとして全ＦＯＶでの送信回数の合計を計算しそれが基準送信回数を越える場合は全ＦＯＶでの送信回数の合計が基準送信回数に合致するように１以上の送信フォーカスを間引いて実際の送信を行わせる送信フォーカス間引き部６ｅとを含んでいる。
【００２１】
図２は、超音波診断装置１００による送信フォーカス間引き処理を示すフロー図である。
ステップＳ０では、操作者は、基準となる送信フォーカスと送信回数領域とを設定する。
例えば図３の（ａ）に示すように、送信フォーカス設定部６ａにより基準となる送信フォーカスｆ１〜ｆ４を設定し、送信回数領域設定部６ｂにより基準となる第１送信回数領域とその送信回数「１回」および第２送信回数領域とその送信回数「２回」を設定する。なお、図３は、リニア型超音波探触子によるＦＯＶを想定しているが、セクタ型超音波探触子やコンベックス型超音波探触子でも同様である。
【００２２】
ステップＳ１では、基準として設定された送信フォーカスと送信回数領域とを基に基準送信回数を算出し、記憶する。
例えば図３の（ｂ）に示すように、データ収集領域分割部６ｃは、送信フォーカスｆ１〜ｆ４の中間位置で第１データ収集領域〜第４データ収集領域にＦＯＶを分割する。なお、送信フォーカスｆ１より上は第１データ収集領域となり、送信フォーカスｆ４より上は第４データ収集領域となる。そして、基準送信回数記憶部６ｄは、基準として設定された送信フォーカスｆ１に対応する第１データ収集領域では送信フォーカスｆ１に対応する第１送信回数領域に設定された送信回数「１回」の送信を行い、送信フォーカスｆ２に対応する第２データ収集領域では送信フォーカスｆ２に対応する第１送信回数領域に設定された送信回数「１回」の送信を行い、送信フォーカスｆ３に対応する第３データ収集領域では送信フォーカスｆ３に対応する第１送信回数領域に設定された送信回数「１回」の送信を行い、送信フォーカスｆ４に対応する第４データ収集領域では送信フォーカスｆ４に対応する第１送信回数領域に設定された送信回数「１回」の送信を行うものとして全ＦＯＶでの送信回数の合計「４回」を計算し、それを基準送信回数として記憶する。
【００２３】
ステップＳ２では、送信フォーカス間引き部６ｅは、送信フォーカスが操作者により変更されたか否かをチェックし、変更されてないならステップＳ３へ進み、変更されたならステップＳ４へ進む。
ステップＳ３では、送信フォーカス間引き部６ｅは、送信回数領域が操作者により変更されたか否かをチェックし、変更されてないならステップＳ２に戻り、変更されたならステップＳ４へ進む。
なお、操作者は、操作部５を操作して任意に送信フォーカスおよび送信回数領域を設定変更できる。
ステップＳ２とステップＳ３が繰り返されている間、制御部６は、各送信フォーカスに対応するデータ収集領域では、該送信フォーカスに対応する送信回数領域に設定された送信回数の超音波パルスの送信を行って、エコーを受信する。
【００２４】
ステップＳ４では、送信フォーカス間引き部６ｅは、変更された送信フォーカスと送信回数領域とを基に送信回数の合計を算出する。
例えば図４の（ａ）に示すように送信フォーカスｆ１〜ｆ４が設定変更されたら、図４の（ｂ）に示すようにデータ収集領域を分割し、第１データ収集領域では送信フォーカスｆ１に対応する第１送信回数領域に設定された送信回数「１回」の送信を行い、送信フォーカスｆ２に対応する第２データ収集領域では送信フォーカスｆ２に対応する第１送信回数領域に設定された送信回数「１回」の送信を行い、送信フォーカスｆ３に対応する第３データ収集領域では送信フォーカスｆ３に対応する第２送信回数領域に設定された送信回数「２回」の送信を行い、送信フォーカスｆ４に対応する第４データ収集領域では送信フォーカスｆ４に対応する第２送信回数領域に設定された送信回数「２回」の送信を行うものとし、合計送信回数「６回」を算出する。
【００２５】
ステップＳ５では、合計送信回数と基準送信回数とを比較し、合計送信回数が基準送信回数を越えない場合はステップＳ２に戻り、越えた場合はステップＳ６へ進む。
例えば図４の（ｂ）では、合計送信回数「６回」が基準送信回数「４回」を越えるため、ステップＳ６へ進む。
【００２６】
ステップＳ６では、合計送信回数が基準送信回数に合致するように１以上の送信フォーカスを間引く。その際、間引きパターンが複数あれば、それら間引きパターンを提示して、操作者に選択させる。そして、ステップＳ２に戻る。
ステップＳ２に戻った後、選択された間引きパターンにおける各送信フォーカスに対応するデータ収集領域では、該送信フォーカスに対応する送信回数領域に設定された送信回数の超音波パルスの送信を行って、エコーを受信する。
例えば、例えば図４の（ｂ）に対しては、図４の（ｃ１）〜（ｃ３）の間引きパターンを提示して、いずれかを操作者に選択させる。例えば図４の（ｃ１）の間引きパターンが選択されたなら、ステップＳ２に戻った後、第１データ収集領域では送信フォーカスｆ１に対応する第１送信回数領域に設定された送信回数「１回」の送信を行い、送信フォーカスｆ２に対応する第２データ収集領域では送信フォーカスｆ２に対応する第１送信回数領域に設定された送信回数「１回」の送信を行い、送信フォーカスｆ３に対応する第３データ収集領域では送信フォーカスｆ３に対応する第２送信回数領域に設定された送信回数「２回」の送信を行う。送信フォーカスｆ４は間引かれているため、合計送信回数は「４回」になり、基準送信回数に合致する。従って、フレームレートが基準送信回数のときから落ちることが防止される。
【００２７】
図５は、送信フォーカスが設定変更された別の例を示している。
図５の（ａ）に示すように送信フォーカスｆ１〜ｆ４がすべて第２送信回数領域に設定されたら、図５の（ｂ）に示すようにデータ収集領域を分割し、第１データ収集領域では送信フォーカスｆ１に対応する第２送信回数領域に設定された送信回数「２回」の送信を行い、送信フォーカスｆ２に対応する第２データ収集領域では送信フォーカスｆ２に対応する第２送信回数領域に設定された送信回数「２回」の送信を行い、送信フォーカスｆ３に対応する第３データ収集領域では送信フォーカスｆ３に対応する第２送信回数領域に設定された送信回数「２回」の送信を行い、送信フォーカスｆ４に対応する第４データ収集領域では送信フォーカスｆ４に対応する第２送信回数領域に設定された送信回数「２回」の送信を行うものとし、合計送信回数「８回」が算出される。
そこで、図５の（ｃ１）〜（ｃ６）の間引きパターンを提示して、いずれかを操作者に選択させる。例えば図５の（ｃ１）の間引きパターンが選択されたなら、第１データ収集領域では送信フォーカスｆ１に対応する第２送信回数領域に設定された送信回数「２回」の送信を行い、送信フォーカスｆ２に対応する第２データ収集領域では送信フォーカスｆ２に対応する第２送信回数領域に設定された送信回数「２回」の送信を行う。送信フォーカスｆ３，ｆ４は間引かれているため、合計送信回数は「４回」になり、基準送信回数に合致する。従って、フレームレートが基準送信回数のときから落ちることが防止される。
【００２８】
図６は、送信回数領域が設定変更された例を示している。
図６の（ａ）に示すように基準の送信フォーカスｆ４を含むように第２送信回数領域が設定変更されたら、図６の（ｂ）に示すようにデータ収集領域を分割し、第１データ収集領域では送信フォーカスｆ１に対応する第１送信回数領域に設定された送信回数「１回」の送信を行い、送信フォーカスｆ２に対応する第２データ収集領域では送信フォーカスｆ２に対応する第１送信回数領域に設定された送信回数「１回」の送信を行い、送信フォーカスｆ３に対応する第３データ収集領域では送信フォーカスｆ３に対応する第１送信回数領域に設定された送信回数「１回」の送信を行い、送信フォーカスｆ４に対応する第４データ収集領域では送信フォーカスｆ４に対応する第２送信回数領域に設定された送信回数「２回」の送信を行うものとし、合計送信回数「５回」が算出される。
そこで、図６の（ｃ１）〜（ｃ３）の間引きパターンを提示して、いずれかを操作者に選択させる。例えば図６の（ｃ１）の間引きパターンが選択されたなら、第１データ収集領域では送信フォーカスｆ１に対応する第１送信回数領域に設定された送信回数「１回」の送信を行い、送信フォーカスｆ２に対応する第２データ収集領域では送信フォーカスｆ２に対応する第１送信回数領域に設定された送信回数「２回」の送信を行い、送信フォーカスｆ４に対応する第２データ収集領域では送信フォーカスｆ４に対応する第２送信回数領域に設定された送信回数「２回」の送信を行う。送信フォーカスｆ３は間引かれているため、合計送信回数は「４回」になり、基準送信回数に合致する。従って、フレームレートが基準送信回数のときから落ちることが防止される。
【００２９】
なお、送信フォーカスと送信回数領域とが同時に設定変更された場合でも、上記と同様に送信フォーカスを間引き出来る。
また、上記では、基準送信回数を記憶したが、基準送信回数と一対一に対応する他の指標（例えば基準フレームレート）を記憶し比較しても等価であり、本発明の範囲に含まれる。
【００３０】
【発明の効果】
本発明の超音波送信方法および超音波診断装置によれば、一つの送信回数領域から異なる送信回数が設定された別の送信回数領域へ送信フォーカスを移動した場合や送信フォーカスに対応する送信回数領域の送信回数が設定変更された場合にフレームレートが落ちるのを防止できる。この結果、良好な視認性が得られ、診断に好適となる。
【図面の簡単な説明】
【図１】本発明の一実施形態にかかる超音波診断装置を示す構成図である。
【図２】本発明の一実施形態にかかる送信フォーカス間引き処理を示すフロー図である。
【図３】基準として設定された送信フォーカスと送信回数領域およびそれらに対応するデータ収集領域を示す概念図である。
【図４】設定変更された送信フォーカスの第１例およびそれに対応するデータ収集領域および間引きパターンを示す概念図である。
【図５】設定変更された送信フォーカスの第２例およびそれに対応するデータ収集領域および間引きパターンを示す概念図である。
【図６】設定変更された送信回数領域およびそれに対応するデータ収集領域および間引きパターンを示す概念図である。
【符号の説明】
１          超音波探触子
２          送受信部
３          信号処理部
４          画像表示部
５          操作部
６          制御部
６ａ        送信フォーカス設定部
６ｂ        送信回数領域設定部
６ｃ        データ収集領域分割部
６ｄ        基準送信回数記憶部
６ｅ        送信フォーカス間引き部
１００      超音波診断装置
【図１】
2004148018.tif 000003
【図２】
2004148018.tif 000004
【図３】
2004148018.tif 000005
【図４】
2004148018.tif 000006
【図５】
2004148018.tif 000007
【図６】
2004148018.tif 000008